(57)【要約】      （修正有）【課題】表示部のほかに入力部として機能する入力表示部をキー入力部と併用して入力操作できるようにする。【解決手段】携帯電話機は、入力表示部５をキー入力部４と併用して入力操作を行わせることが指定された場合に、所定のキー群が特定のキー配列となるように当該キー群をキー入力部４及び入力表示部５に跨って割り当て配置する。すなわち、文字キー群（アルファベットキー群）が標準的なキー配列（ＱＷＥＲＴＹキー配列）となるように当該アルファベットキー群をキー入力部４及び入力表示部５に跨って割り当て配置する。【選択図】図２
2014195257.tif 000002
【特許請求の範囲】
【請求項１】
複数のキーを備えたキー入力部を有する電子機器であって、
表示部のほかに入力操作検出部として機能する入力表示部を前記キー入力部と併用して入力操作を行わせることを指定する指定手段と、
この指定手段によって入力表示部を前記キー入力部と併用して入力操作を行わせることが指定された場合に、所定のキー群が特定のキー配列となるように当該キー群を前記キー入力部及び前記入力表示部に跨って割り当て配置するための入力制御を行う入力制御手段と、
外部機器が接続される外部接続手段と、
を備え、
前記指定手段は、前記外部接続手段に前記入力表示部が外部機器として接続された場合に、当該入力表示部を前記キー入力部と併用して入力操作を行わせることを指定する、
を具備したことを特徴とする電子機器。
【請求項２】
前記外部接続手段は、外部機器としての前記入力表示部が接近している状態を検出する接近検出部であり、
前記接近検出部によって入力表示部が接近していることが検出された場合に、前記入力表示部との間で近距離通信によってデータの送受信を行う通信手段を更に備え、
前記指定手段は、前記接近検出部によって前記入力表示部が接近している状態であることが検出された場合に、当該入力表示部を前記キー入力部と併用して入力操作を行わせることを指定し、
前記入力制御手段は、前記指定手段によって入力表示部を前記キー入力部と併用して入力操作を行わせることが指定された場合に、前記通信手段を介して前記入力表示部に対してキー割り当て用のデータを送信したり、前記入力表示部から操作キーに対応するキー入力信号を受信したりする、
ようにしたことを特徴とする請求項１記載の電子機器。
【発明の詳細な説明】
【技術分野】
【０００１】
本発明は、複数のキーを備えたキー入力部を有する電子機器に関する。
【背景技術】
【０００２】
一般に、携帯電話機などの電子機器にあっては、携帯用外付けキーボードを接続することによって、通常のパーソナルコンピュータのキー配列や操作に近づけることが可能となるが、この外付けキーボードを何時でもどこでも使用可能とするためには、比較的、大型の外付けキーボードを携帯しなければならなかった。
そこで、従来では、携帯通信端末装置の表示部をタッチパネル付きの表示部（タッチスクリーン）によって構成すると共に、このタッチスクリーン（入力表示部）にアルファベットキーなどを標準的なキー配列、すなわち、横１０列×縦３行のマトリックス状にＱＷＥＲＴＹキー配列で配置するようにした技術が知られている（特許文献１参照）。
【先行技術文献】
【特許文献】
【０００３】
【特許文献１】特開２００９−１３５７０７号公報
【発明の概要】
【発明が解決しようとする課題】
【０００４】
しかしながら、上述した先行技術の携帯通信端末装置にあっては、携帯するという特質上、サイズ的に制限されているタッチスクリーン（入力表示部）内に全文字分のアルファベットキーを収めてＱＷＥＲＴＹキー配列することは、１文字分のキーサイズが小さくなって、キー操作がし難くなるほか、誤操作が多くなるために、１文字入力する毎にキー位置を目視確認しながら慎重に入力しなければならず、操作速度が遅くなり、文章作成を効率よく行うことができなくなるなどの問題が起きる。
【０００５】
本発明の課題は、表示部のほかに入力部として機能する入力表示部を既存のキー入力部と併用して好適に入力操作を行わせるようにすることである。
【課題を解決するための手段】
【０００６】
本発明の電子機器は、複数のキーを備えたキー入力部を有する電子機器であって、表示部のほかに入力操作検出部として機能する入力表示部を前記キー入力部と併用して入力操作を行わせることを指定する指定手段と、この指定手段によって入力表示部を前記キー入力部と併用して入力操作を行わせることが指定された場合に、所定のキー群が特定のキー配列となるように当該キー群を前記キー入力部及び前記入力表示部に跨って割り当て配置するための入力制御を行う入力制御手段と、外部機器が接続される外部接続手段と、を備え、前記指定手段は、前記外部接続手段に前記入力表示部が外部機器として接続された場合に、当該入力表示部を前記キー入力部と併用して入力操作を行わせることを指定する、を具備したことを特徴とする電子機器である。
【発明の効果】
【０００７】
本発明によれば、表示部のほかに入力部として機能する入力表示部を既存のキー入力部と併用して好適に入力操作を行わせることができ、実用性に富んだものとなる。
【図面の簡単な説明】
【０００８】
【図１】電子機器として適用した携帯電話機の基本的な構成要素を示したブロック図。
【図２】（１）〜（３）は、携帯電話機の外観図で、２つの筐体（操作部筐体、表示部筐体）を開いた状態でその向きを変えた状態を示した図。
【図３】指定条件記憶部ＣＡを説明するための図。
【図４】携帯電話機の全体動作の概要を示したフローチャート。
【図５】キー割り当て処理（図４のステップＡ１２）を詳述するためのフローチャート。
【図６】（１）、（２）は、第１実施形態の変形例としてスライドタイプの携帯電話機に適用した場合を例示した図。
【図７】（１）〜（３）は、第１実施形態の変形例として２ウエイオープン（Ｗオープン）タイプの携帯電話機に適用した場合を例示した図。
【図８】（１）、（２）は、図７に示した２ウエイオープン（Ｗオープン）タイプの携帯電話機において、そのキー配列を具体的に示した図。
【図９】（１）〜（３）は、第１実施形態の変形例として、２つの筐体を開いた状態において一方の筐体を±９０°回転可能なサイクロイドタイプの携帯電話機に適用した場合を例示した図。
【図１０】第２実施形態における携帯電話機の構成要素を示したブロック図。
【図１１】第２実施形態において外部機器（入力表示部）２０の構成要素を示したブロック図。
【図１２】第２実施形態において携帯電話機に外部機器としての入力表示部２０を接続させた場合に、アルファベットキー群が携帯電話機のキー入力部４及び外部機器（入力表示部）２０に跨って割り当て配置された状態を示した図。
【図１３】第２実施形態において携帯電話機に外部機器としての入力表示部２０を接続させた場合に、仮名文字の５０音キー群が携帯電話機のキー入力部４及び外部機器（入力表示部）２０に跨って割り当て配置された状態を示した図。
【図１４】第２実施形態における携帯電話機の動作概要を示したフローチャート。
【発明を実施するための形態】
【０００９】
（実施形態１）
以下、図１〜図５を参照して本発明の第１実施形態を説明する。
本実施形態は、電子機器として携帯電話機に適用した場合を例示したもので、図１は、この携帯電話機の基本的な構成要素を示したブロック図である。
携帯電話機は、２つの筐体（操作部筐体、表示部筐体）を折り畳み自在に取り付けた折り畳みタイプの携帯電話機で、音声通話機能、電子メール機能、インターネット接続機能（Ｗｅｂアクセス機能）、テキスト作成機能などを備えている。このテキスト作成機能は、ローマ字入力あるいは仮名文字入力された文字列データ（未変換文字列データ）を仮名漢字に変換することによって仮名漢字交じり文を作成する機能である。
【００１０】
中央制御部１は、二次電池を備えた電源部２からの電力供給によって動作し、記憶部３内の各種のプログラムに応じてこの携帯電話機の全体動作を制御するもので、この中央制御部１にはＣＰＵ（中央演算処理装置）やメモリなどが設けられている。記憶部３は、ＲＯＭ、ＲＡＭなどの内部メモリで、プログラム領域とデータ領域とを有し、このプログラム領域には、後述する図４及び図５に示す動作手順に応じて本実施形態を実現するためのプログラムが格納されている。また、記憶部３のデータ領域には、フラグ情報、タイマ情報、この携帯電話機の動作に必要な各種の情報が一時記憶されているほか、後述する指定条件記憶部ＣＡなどが設けられている。
【００１１】
キー入力部４は、例えば、高精細液晶や有機ＥＬ（Electro Luminescence）などを使用した表示画面（表示部）４ａの上にタッチパネル（操作検出部）４ｂを積層配設してなるタッチスクリーン（入力表示部）を構成することによって、表示部のほかに入力部として機能するようにしたもので、図示しないが、十字キー（決定キーやカーソルキー）や数値キー／文字キーなど、各種のタッチキーを備え、ダイヤル入力、テキスト入力、コマンド入力などを行う。中央制御部１は、このキー入力部４からのキー操作信号に応じた処理として、例えば、発信処理、文章データ作成処理などの各種の処理を行う。なお、キー入力部４は、タッチスクリーン（入力表示部）によるソフトキーに限らず、押しボタン式のキー（ハードキー）によって構成するようにしてもよい。
【００１２】
入力表示部５は、例えば、高精細液晶や有機ＥＬなどを使用した表示画面５ａ（表示部）の上にタッチパネル（操作検出部）５ｂを積層配設してなるタッチスクリーンを構成することによって、表示部のほかに入力部として機能するようにしたもので、この携帯電話機の主画面を構成する。このように第１実施形態においては、２つのタッチスクリーンとしてキー入力部４及び入力表示部５を有し、中央制御部１は、この入力表示部５をキー入力部４と併用して入力操作を行わせることが指定されているか否かを判別し、キー入力部４と併用して入力操作を行わせることが指定されている場合には、所定のキー群（例えば、アルファベットキー群）が特定のキー配列（例えば、ＱＷＥＲＴＹキー配列）となるように当該キー群をキー入力部４及び入力表示部５に跨って割り当て配置するようにしている。
【００１３】
無線通信部６は、無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調して中央制御部１に対して出力すると、中央制御部１は、音声信号処理部７を介して通話用スピーカＳＰから音声出力させる。また、通話用マイクＭＣからの入力音声データが音声信号処理７から中央制御部１を介して供給されると、無線通信部６は、送信ベースバンド信号に符号化したのち、ベースバンド部の送信側に与えてアンテナＡＴから送信させる。アプリ処理関係部８は、通話機能、電子メール機能、インターネット接続機能、テキスト作成機能などのアプリケーション処理に関する情報を記憶したり、その処理に関する制御を行ったりする。
【００１４】
加速度センサ９は、入力表示部５をキー入力部４と併用して入力操作を行わせることを指定するための指定手段として用いられるもので、重力方向に対する携帯電話機の姿勢（向き）を検出したり、携帯電話機の振り操作を検出したりする。そして、この加速度センサ９は、例えば、３軸タイプの加速度センサ（３軸方向振動センサ）によって構成され、互いに直交する３軸方向（Ｘ・Ｙ・Ｚ方向）の加速度成分を検出するが、その際、この３軸方向の各加速度成分の中から、例えば、２次元座標系においてＸ方向（左右方向）、Ｙ方向（上下方向）の加速度成分に基づいて中央制御部１は、携帯電話機の向きや振られた方向を検出したり、携帯電話機の振り操作に応じた加速度（振動）の大きさを検出したりする。
【００１５】
スタイル検出部１０は、入力表示部５をキー入力部４と併用して入力操作を行わせることを指定する指定手段として用いられ、連結されている２つの筐体の位置関係を携帯電話機のスタイルに関する情報として検出するもので、例えば、各筐体の各所に磁石と磁力センサを配置した構成となっている。中央制御部１は、このスタイル検出部１０を構成する磁力センサの検出結果から携帯電話機の現在のスタイル（折り畳みタイプの携帯電話機にあっては、後述するオープンスタイルかクローズスタイルか）を判別するようにしている。
【００１６】
図２（１）〜（３）は、携帯電話機の外観図で、２つの筐体（操作部筐体、表示部筐体）を開いた状態においてその向きを変えた状態を示している。
携帯電話機は、キー入力部４を備えた操作部筐体（第１筐体）１１と入力表示部５を備えた表示部筐体（第２筐体）１２とをヒンジ部１３を介して開閉可能（折り畳み可能）に取り付けられた構成となっている。図２（１）は、操作部筐体１１と表示部筐体１２の折り畳みを開いて、操作部筐体１１と表示部筐体１２とが縦向きの状態となっているオープンスタイルを示した図である。この操作部筐体１１に備えられているキー入力部４には、図２（１）に示すように、「Ａ／ａ」のペアキー（大文字／小文字切り替えキー）、「ＣＬＲ」のクリアキー、「ＰＷＲ」の電源キー、「０」〜「９」のテンキーのほか、「＊」キー、「＃」キーが割り当て配置されている。
【００１７】
図２（２）、（３）は、操作部筐体１１と表示部筐体１２とが横向きの状態となっているオープンスタイルを示し、（２）は、操作部筐体１１が図中、左側に位置している場合、（３）は、表示部筐体１２が図中、左側に位置している場合を示した図である。以下、図２（１）の状態を縦向きオープンスタイル、（２）の状態を第１の横向きオープンスタイル、（３）の状態を第２の横向きオープンスタイルと呼称するものとする。加速度センサ９は、携帯電話機の姿勢として、図２（２）に示す第１の横向き状態と図２（３）に示す第２の横向き状態とを区別して検出可能とっている。なお、図２（２）、（３）に示す横向きオープンスタイルにおいて、操作部筐体１１と表示部筐体１２との開度は、略１８０°で、携帯電話機を平面に載置させた場合に操作部筐体１１と表示部筐体１２とが略平らな状態となるようにしている。
【００１８】
図２（２）に示す第１の横向きオープンスタイルにおいて、操作部筐体１１のキー入力部４には、所定のキー群として、その一部である１５個のアルファベットキーが横５列×縦３行のマトリックス状に所定の配列（ＱＷＥＲＴＹキー配列）で割り当て配置されている。また、表示部筐体１２の入力表示部５には、残りのアルファベットキー及びその他の記号キー（＋キー、−キー、？キー、＠キー）が横５列×縦３行のマトリックス状に所定の配列（ＱＷＥＲＴＹキー配列）で割り当て配置されている。
【００１９】
すなわち、操作部筐体１１のキー入力部４の１行目には、“Ｑ、Ｗ、Ｅ、Ｒ、Ｔ”の各文字キーが割り当て配置され、２行目には、“Ａ、Ｓ、Ｄ、Ｆ、Ｇ”の各文字キーが割り当て配置され、３行目には、“Ｚ、Ｘ、Ｃ、Ｖ、Ｂ”の各文字キーが割り当て配置されている。他方、表示部筐体１２の入力表示部５の１行目には、“Ｙ、Ｕ、Ｉ、Ｏ、Ｐ、”の各文字キーが割り当て配置され、２行目には、“Ｈ、Ｊ、Ｋ、Ｌ、＠”の各文字キーが割り当て配置され、３行目には、“Ｎ、Ｍ、−、？、+”の文字キーなどが割り当て配置されている。
【００２０】
ここで、表示部筐体１２の入力表示部５の空き領域（キー割り当て領域以外の領域）は、上述のアルファベットキーなどが操作されることによって入力された文字データが表示される領域となっている。なお、図示の例では、キー表示領域の上側の空き領域に、ローマ字／仮名変換されたデータとして“こんにちは”が表示された場合を示している。なお、図示の例では、操作部筐体１１のキー入力部４に割り当て配置されている各キーのサイズよりも、表示部筐体１２の入力表示部５に割り当て配置されている各キーのサイズの方が小さい場合（略１／３サイズの場合）を示したが、両方のキーサイズは、これに限らず、任意であり、勿論、略同一サイズであってもよく、あるいは一方のキーサイズが他方に比べて略２／３サイズ、４／３サイズ、１／２サイズなどであってもよい。
【００２１】
また、図２（３）に示す第２の横向きオープンスタイルにおいて、表示部筐体１２の入力表示部５には、“Ｑ、Ｗ、Ｅ、Ｒ、Ｔ”の各文字キーが割り当て配置され、２行目には、“Ａ、Ｓ、Ｄ、Ｆ、Ｇ”の各文字キーが割り当て配置され、３行目には、“Ｚ、Ｘ、Ｃ、Ｖ、Ｂ”の各文字キーが割り当て配置されている。他方、操作部筐体１１のキー入力部４の１行目には、“Ｙ、Ｕ、Ｉ、Ｏ、Ｐ、”の各文字キーが割り当て配置され、２行目には、“Ｈ、Ｊ、Ｋ、Ｌ、＠”の各キーが割り当て配置され、３行目には、“Ｎ、Ｍ、−、？、+”の各キーが割り当て配置されている。
【００２２】
この場合においても、図示の例では、操作部筐体１１のキー入力部４に割り当て配置されている各キーのサイズよりも、表示部筐体１２の入力表示部５に割り当て配置されている各キーのサイズの方が小さい場合（略１／３サイズの場合）を示したが、両方のキーサイズは、これに限らず、任意であり、勿論、略同一サイズであってもよく、あるいは一方のキーサイズが他方に比べて略２／３サイズ、４／３サイズ、１／２サイズなどであってもよい。
【００２３】
図３は、指定条件記憶部ＣＡを説明するための図である。
指定条件記憶部ＣＡは、入力表示部５をキー入力部４と併用して入力操作を行わせることを指定するための指定条件を記憶するもので、「指定条件」、「内容」、「設定フラグ」の項目を有する構成となっている。「指定条件」は、指定条件の種別を示し、“入力モード”、“スタイル及び姿勢”、“振り”、“手書きパターン”を有している。この「指定条件」に対応する「内容」は、キー入力部４と併用して入力操作を行わせることを指定するための具体的な内容を示し、図示の例では、“入力モード”に対応する「内容」として、文章入力が可能な状態を示す“テキストモード”が設定されている場合を示している。
【００２４】
更に、「指定条件」の“スタイル及び姿勢”に対応する「内容」として、上述した第１及び第２の横向きオープンスタイルを示す“横向きオープンスタイル”が設定され、更に、“振り”に対応する「内容」として、所定時間（例えば、２秒）以内に携帯電話機が垂直方向に２往復振られたことを示す“垂直方向への振り操作”が設定され、“手書きパターン”に対応する「内容」として、入力表示部５にチェックマーク（Ｖ字状のマーク）が手書き入力されたことを示す“チェックマーク”が設定されている場合を示している。
【００２５】
「設定フラグ」は、どの「指定条件」が有効であるかを示すもので、“１”は、現在有効な「指定条件」を示し、“０”は、現在無効な「指定条件」を示している。なお、図示の例では、“入力モード”の「指定条件」に対応する「設定フラグ」に“１”が設定されているので、“入力モード”が現在有効な条件であることを示しているが、１つの「指定条件」に限らず、複数の「指定条件」に対応する「設定フラグ」に“１”を設定するようにしてもよい。その場合、そのいずれか一つの条件を満たせばよい、ＯＲ（論理和）を条件とみなすようにしてもよいし、その全ての条件を満たさなければならないＡＮＤ（論理積）を条件としてみなすようにしてもよい。また、この指定条件記憶部ＣＡにおいてその「内容」及び「設定フラグ」は、ユーザ操作によって任意に設定されたものであるが、「指定条件」、「内容」を固定し、「設定フラグ」のみを設定可能とするようにしてもよい。
【００２６】
次に、第１実施形態における携帯電話機の動作概要を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２７】
図４は、携帯電話機の全体動作の概要を示したフローチャートである。
先ず、中央制御部１は、電源を投入する電源オン操作が行われると（ステップＡ１でＹＥＳ）、初期化処理を実行し、操作部筐体１１のキー入力部４に図２（１）に示すような各種のキーを割り当て配置する処理を実行した後（ステップＡ２）、操作や着信などの待ち受け状態となる（ステップＡ３、Ａ５、Ａ７、Ａ９、Ａ１１）。この状態において、任意の情報を設定する設定操作が行われたときには（ステップＡ３でＹＥＳ）、その設定操作に応じた設定処理を実行した後（ステップＡ４）、上述のステップＡ３に戻る。この場合、指定条件記憶部ＣＡに対する設定操作であれば、その「内容」に任意の情報を設定したり、「設定フラグ」を書き替えたりする設定処理を行う。
【００２８】
また、電話着信を検出したときには（ステップＡ５でＹＥＳ）、通話可能状態とする通話処理を行った後（ステップＡ６）、上述のステップＡ３に戻る。また、電源オフ操作が行われたときには（ステップＡ７でＹＥＳ）、電源オフ処理を行った後（ステップＡ８）、このフローの終了となるが、その他の操作が行われたときには（ステップＡ９でＹＥＳ）、例えば、発信処理、テキスト作成処理など、その操作に応じた処理を行った後（ステップＡ１０）、上述のステップＡ３に戻る。例えば、テキスト作成処理の実行時において、キー入力部４及び入力表示部５に跨って割り当てられている文字キーが操作されることによってローマ字入力あるいは仮名文字入力された文字列データ（未変換文字列データ）を仮名漢字に変換して仮名漢字交じり文が作成され、その際、入力されたデータや変換されたデータは、入力表示部５の空き領域（（キー表示領域以外の領域））に表示される。
【００２９】
一方、操作や着信などの待ち受け状態において、指定条件検出タイミング、つまり、入力表示部５をキー入力部４と併用して入力操作を行わせることを指定するための指定条件を満たすか否かを検出するためのタイミング（例えば、０．５秒）に達したときには（ステップＡ１１でＹＥＳ）、後述するキー割り当て処理に移る（ステップＡ１２）。なお、この指定条件検出タイミングは、０．５秒に限らず、任意である。
【００３０】
図５は、キー割り当て処理（図４のステップＡ１２）を詳述するためのフローチャートである。
先ず、中央制御部１は、指定条件記憶部ＣＡを参照し（ステップＢ１）、「設定フラグ」が“１”となっている「指定条件」を選択して（ステップＢ２）、その「指定条件」の種別を判別する（ステップＢ３）。いま、「設定フラグ」が“１”の「指定条件」が“入モード”であれば（ステップＢ４でＹＥＳ）、入力モードを検出し（ステップＢ５）、前回検出した入力モードと今回検出した入力モードとを比較することによって（ステップＢ６）、特定モードへの変更か、例えば、文章データが入力可能な状態の“テキストモード”への変更かを調べる（ステップＢ７）。ここで、特定モードへの変更でなければ、つまり、「指定条件」を満たさなければ（ステップＢ７でＮＯ）、キー入力部４及び入力表示部５の内容を変更せずに現在の状態をそのまま維持させるために図４のステップＡ３に戻る。なお、ここでは、前回検出した入力モードと今回検出した入力モードとを比較するようにしているが、今回検出した入力モードだけで、“テキストモード”への変更かを調べるようにしてもよい。
【００３１】
一方、キー入力部４上の特定キー（例えば、モード切替キー）が操作されることによって入力モードが変更された場合に、その変更が特定モード、つまり、“テキストモード”への変更であれば（ステップＢ７でＹＥＳ）、入力表示部５をキー入力部４と併用して入力操作を行わせることを指定するための指定条件を満たしたものと判断して、ステップＢ８に移り、アルファベットキー群がＱＷＥＲＴＹキー配列となるように当該アルファベットキー群をキー入力部４及び入力表示部５に跨って割り当て配置する。この場合、アルファベットキー群などを、例えば、図２（２）に示すような状態の跨った割り当て配置にするようにしても、図２（３）に示すような状態の跨った割り当て配置にするようにしてもよい。その際、加速度センサ９の出力結果から携帯電話機の姿勢（向き）を検出し、その向きに応じて図２（２）に示すような跨った割り当て配置を行ったり、図２（３）に示すような跨った割り当て配置を行ったりするとよい。このように指定条件を満たす場合には、キー入力部４に予め割り当てられていた既存のテンキーなどは、アルファベットキーに変更される。
【００３２】
また、「設定フラグ」が“１”の「指定条件」が“スタイル及び姿勢”であれば（ステップＢ９でＹＥＳ）、スタイル検出部１０の出力結果からスタイルを検出して（ステップＢ１０）、特定のスタイル、例えば、オープンスタイルに変更されたかを調べ（ステップＢ１１）、オープンスタイルであれば（ステップＢ１１でＹＥＳ）、加速度センサ９の出力結果から携帯電話機の姿勢（向き）を検出し（ステップＢ１２）、特定の姿勢に変更されたか、例えば、横向きの状態に変更されたかを調べる（ステップＢ１３）。いま、特定のスタイル（オープンスタイル）に変更されなかった場合（ステップＢ１１でＮＯ）、あるいは特定のスタイル（オープンスタイル）に変更されても特定の姿勢（横向き状態）に変更されなかった場合には（ステップＢ１３でＮＯ）、「指定条件」を満たさなかった場合であるから、キー入力部４及び入力表示部５の内容を変更せずに現在の状態をそのまま維持させるために図４のステップＡ３に戻る。
【００３３】
また、特定のスタイル（オープンスタイル）において、携帯電話機の姿勢（向き）がキー入力部４及び入力表示部５が特定の姿勢（横向きの状態）であれば（ステップＢ１３でＹＥＳ）、入力表示部５をキー入力部４と併用して入力操作を行わせることを指定するための指定条件を満たしたものと判断して、上述のステップＢ８に移り、アルファベットキー群がＱＷＥＲＴＹキー配列となるように当該アルファベットキー群をキー入力部４及び入力表示部５に跨って割り当て配置する。この場合、筐体の姿勢（向き）に応じて割り当て配置する。すなわち、第１の横向きの状態であれば、アルファベットキー群などを図２（２）に示すような跨った割り当て配置にし、第２の横向きの状態であれば、アルファベットキー群などを図２（３）に示すような跨った割り当て配置にする。
【００３４】
また、「設定フラグ」が“１”の「指定条件」が“振り”であれば（ステップＢ１４でＹＥＳ）、加速度センサ９の出力結果から携帯電話機が振られた方向及び振られた回数を検出し（ステップＢ１５）、今回の検出結果のほかにそれ以前の複数回分の検出結果を参照し、特定方向に特定回数分振られたか、つまり、所定時間以内に携帯電話機が垂直方向に２往復分振られたかを調べる（ステップＢ１６）。ここで、特定の振り操作が行われなければ（ステップＢ１４でＮＯ）、「指定条件」を満たさなかった場合であるから、キー入力部４及び入力表示部５の内容を変更せずに現在の状態をそのまま維持させるために図４のステップＡ３に戻る。また、特定の振り操作が行われたときには（ステップＢ１４でＹＥＳ）、入力表示部５をキー入力部４と併用して入力操作を行わせることを指定するための指定条件を満たしたものと判断して、上述のステップＢ８に移り、アルファベットキー群がＱＷＥＲＴＹキー配列となるように当該アルファベットキー群をキー入力部４及び入力表示部５に跨って割り当て配置する。
【００３５】
また、「設定フラグ」が“１”の「指定条件」が“手書きパターン”であれば（ステップＢ１７でＹＥＳ）、入力表示部５に手書き入力されたパターンを検出し（ステップＢ１８）、今回の検出結果のほかにそれ以前の複数回分の検出結果を参照し、その手書きパターンは特定のパターンか、例えば、チェックマークであるかを調べる（ステップＢ１９）。ここで、手書き入力されていない場合や手書きパターンが特定のパターン（チェックマーク）ではない場合には（ステップＢ１９でＮＯ）、「指定条件」を満たさなかった場合であるから、キー入力部４及び入力表示部５の内容を変更せずに現在の状態をそのまま維持させるために図４のステップＡ３に戻る。
【００３６】
また、手書きパターンが特定のパターン（チェックマーク）のときには（ステップＢ１９でＹＥＳ）、入力表示部５をキー入力部４と併用して入力操作を行わせることを指定するための指定条件を満たしたものと判断して、上述のステップＢ８に移り、アルファベットキー群がＱＷＥＲＴＹキー配列となるように当該アルファベットキー群をキー入力部４及び入力表示部５に跨って割り当て配置する。
【００３７】
以上のように、第１実施形態において中央制御部１は、入力表示部５をキー入力部４と併用して入力操作を行わせることが指定された場合に、所定のキー群が特定のキー配列となるように当該キー群をキー入力部４及び入力表示部５に跨って割り当て配置するようにしたので、入力表示部５をキー入力部４と共同して利用することができ、所定のキー群の全てをキー入力部４に集約しなくてもよく、入力表示部５に分散させることで、キーサイズを大きくすることが可能となったり、両手でのタイピングが可能となったり、全体としてキーが見易くなったりするなどの効果を有し、実用性に富んだものとなる。
【００３８】
中央制御部１は、入力表示部５をキー入力部４と併用して入力操作を行わせることが指定された場合に、キー入力部４に予め割り当てられている既存のキー（テンキーなど）を所定のキー群に属するキー（アルファベットキー）に変更するようにしたので、キーの切り替え操作を行わなくても、そのキーの機能を切り替えることができる。
【００３９】
所定の文字種を入力する文字キー群（アルファベットキー群）が標準的なキー配列（ＱＷＥＲＴＹキー配列、すなわち、アルファベットキーの全ての種類が入力可能なキー配列）となるように当該文字キー群をキー入力部４及び入力表示部５に跨って割り当て配置するようにしたので、通常のパーソナルコンピュータなどのキー配列と同等となり、操作性の大幅な向上を期待することができる。
【００４０】
キー入力部４及び入力表示部５に跨って割り当てられている文字キーを操作することによって入力された文字データを入力表示部５の空き領域に表示させるようにしたので、入力表示部５を入力操作検出部と共に表示部として同時に機能させることができ、特別な表示部を別途用意する必要がなくなる。
【００４１】
入力表示部５をキー入力部４と併用して入力操作を行わせる際に、キー入力部４と入力表示部５とを隣り合う関係となるように配設するようにしたので、キー入力部４と入力表示部５とを１つのキーボードとして利用することができ、操作性の大幅な向上を期待することができる。
【００４２】
携帯電話機を構成する操作部筐体（第１筐体）１１にキー入力部４を設け、表示部筐体（第２筐体）１２に入力表示部５を設けるようにしたので、折り畳みタイプの携帯電話機をオープンスタイルに変えるだけで、キー入力部４と入力表示部５とを隣り合わせることができ、１つのキーボードのように利用することができる。
【００４３】
特定の入力モード（テキストモード）が検出された場合に、入力表示部５をキー入力部４と併用して入力操作を行わせることを指定するようにしたので、テキスト作成時には、入力表示部５をキー入力部４と共同して利用することができる。
【００４４】
加速度センサ９に基づいて携帯電話機の特定の姿勢（向き）を検出した場合に、入力表示部５をキー入力部４と併用して入力操作を行わせることを指定するようにしたので、例えば、キー入力部４と入力表示部５とが横向き状態となった場合に、入力表示部５をキー入力部４と共同して利用することができる。
【００４５】
複数の筐体（操作部筐体１１、表示部筐体１２）の位置関係を検出するスタイル検出部１０に基づいて特定の位置関係（オープンスタイル）を検出した場合に、入力表示部５をキー入力部４と併用して入力操作を行わせることを指定するようにしたので、オープンスタイルとすることによって入力表示部５をキー入力部４と共同して利用することができる。
【００４６】
加速度センサ９に基づいて特定の振り操作（垂直方向に２往復振る操作）を検出した場合に、入力表示部５をキー入力部４と併用して入力操作を行わせることを指定するようにしたので、例えば、垂直方向に２往復振ることによって入力表示部５をキー入力部４と共同して利用することができる。
【００４７】
入力表示部５を構成する入力操作検出部において特定の手書きパターン（例えば、チェックマーク）が入力されたことを検出した場合に、入力表示部５をキー入力部４と併用して入力操作を行わせることを指定するようにしたので、特定の手書きパターン（チェックマーク）を手書きすることによって入力表示部５をキー入力部４と共同して利用することができる。
【００４８】
キー入力部４は、表示部のほかに入力操作検出部として機能する入力表示部によって構成する、例えば、タッチパネル（タッチスクリーン）によって構成するようにしたので、キー入力部４の内容を必要に応じて変更することができる。
【００４９】
指定条件記憶部ＣＡに記憶されている複数の指定条件のうち、任意に設定された指定条件に基づいて入力表示部５をキー入力部４と併用して入力操作を行わせることを指定するようにしたので、ユーザの要望に応じた指定が可能となる。
【００５０】
なお、上述した第１実施形態においては、折り畳みタイプの携帯電話機に適用した場合を例示したが、携帯電話機のタイプは、これに限らず、例えば、２つの筐体（操作部筐体１１、表示部筐体１２）を重ね合わせてスライド可能に取り付けたスライドタイプの携帯電話機であったり、縦方向及び横方向の２方向に開くことが可能な２ウエイオープン（Ｗオープン）タイプの携帯電話機であったり、操作部筐体１１に対して表示部筐体１２を開いた状態において表示部筐体１２を±９０°回転可能なサイクロイドタイプの携帯電話機であったりしてもよい。
【００５１】
図６は、第１実施形態の変形例としてスライドタイプの携帯電話機に適用した場合を例示した図である。
図６（１）は、操作部筐体１１と表示部筐体１２とを閉じた状態（重ね合わせた状態）を示し、操作部筐体１１の上に表示部筐体１２が重ね合わされている状態において、操作部筐体１１に備えられているキー入力部４は、表示部筐体１２によって覆い隠されているが、表示部筐体１２に備えられている入力表示部５は、その全てが露出した状態となっている。この入力表示部５には、テンキーなどの所定のキー群が横３列×縦５行のマトリックス状に割り当て配置されている。この場合、所定のキー群は、「Ａ／ａ」のペアキー（大文字／小文字切り替えキー）、「ＣＬＲ」のクリアキー、「ＰＷＲ」の電源キー、「０」〜「９」のテンキーのほか、「＊」キー、「＃」キーである。
【００５２】
図６（２）は、操作部筐体１１、表示部筐体１２のいずれか一方をスライドさせることによって操作部筐体１１を引き出した状態を示している。このキー入力部４には、図６（１）で示したテンキーなどのキー群（横３列×縦５行の各キー）のうち、その下側の２行分の「７」、「８」、「９」、「０」、「＊」、「＃」の各キー（例えば、押しボタン式のキー）が固定的に配置されている。なお、キー入力部４は、押しボタン式のキー（ハードキー）に限らず、タッチスクリーン（入力表示部）によるソフトキーによって構成するようにしてもよい。
【００５３】
ここで、表示部筐体１２の入力表示部５は、図６（１）に示すようにテンキーなどのキー群が横３列×縦５行に割り当て配置されている状態において、スライド操作によって操作部筐体１１の一部が引き出された場合、つまり、操作部筐体１１と表示部筐体１２とを閉じた状態（重ね合わせた状態）から操作部筐体１１の一部が引き出された状態をスタイル検出部１０によって検出された場合には、その上側の３行分の各キーが略２倍の大きさに拡大されて横３列×縦３行のマトリックス状に割り当て配置される。すなわち、１行目には、「Ａ／ａ」、「ＣＬＲ」「ＰＷＲ」のキーが拡大配置され、２行目には、「１」、「２」、「３」のキーが拡大配置され、３行目には「４」、「５」、「６」のキーが拡大配置される。
【００５４】
このようにスライドタイプの携帯電話機においては、スライド操作によって操作部筐体１１が引き出された場合、つまり、スタイル検出部１０によってスタイルの変更が検出された場合に、入力表示部５をキー入力部４と共同して利用することができる。
【００５５】
また、スライドタイプの携帯電話機において、テンキーなどのキー群のうちその一部がキー入力部４に備えられている場合に、そのキー群の残りの各キーを入力表示部５に割り当て配置するようにしたので、キー入力部４内のキーサイズを大きくすることができると共に、それに合わせて入力表示部５内の各キーを拡大して大きくすることができ、また、入力表示部５内にキー群の全てを配置する必要がないので、入力表示部５内にそれだけ大きな空き領域を確保することも可能となる。
【００５６】
図７（１）〜（３）は、第１実施形態の変形例として２ウエイオープン（Ｗオープン）タイプの携帯電話機に適用した場合を例示した図である。図８（１）、（２）は、２ウエイオープン（Ｗオープン）タイプの携帯電話機に適用した場合のキー配列を具体的に示した図である。
操作部筐体１１及び表示部筐体１２は、その全体が長方形をなすもので、図７（１）に示すように操作部筐体１１及び表示部筐体１２を閉じた状態において、図７（２）は、操作部筐体１１の縦方向（長辺方向）に表示部筐体１２を開いた縦開きのオープン状態を示し、（３）は、操作部筐体１１の横方向（短辺方向）に表示部筐体１２を開いた横開きのオープン状態を示している。図８（１）は、図７（２）に示した縦開きオープン状態の携帯電話機を横向きに変えた状態（操作部筐体１１及び表示部筐体１２が横長となる状態）で使用する場合のキー配列状態を示した図である。図８（２）は、図７（３）に示した横開きオープン状態の携帯電話機をそのままの状態（操作部筐体１１及び表示部筐体１２が縦向きとなる状態）で使用する場合のキー配列状態を示した図である。
【００５７】
ここで、図８（１）に示すように操作部筐体１１に備えられているキー入力部４には、押しボタン式のキーが固定的に配置されている。すなわち、キー入力部４には、ペアキー、クリアキー、電源キー、テンキー、＊キー、＃キーを有し、これらの各キーには、更に、アルファベットキー群の一部がＱＷＥＲＴＹキー配列で割り当て配置されている。なお、これらのキートップには、各キーに対応して２種類の機能名が印刷されていて、そのアルファベット文字は、操作部筐体１１が縦長のときに横向きとなるが、図８（１）に示すように横向きに変えたときには正立（縦向き）となるように印刷されている。なお、キー入力部４は、押しボタン式のキー（ハードキー）に限らず、タッチスクリーン（入力表示部）によるソフトキーによって構成するようにしてもよい。
【００５８】
この場合、上述した第１実施形態の指定条件“スタイル及び姿勢”の場合と同様に、スタイル検出部１０に基づいて縦開きオープン状態を検出し、かつ、加速度センサ９に基づいて横向き状態を検出することによって、表示部筐体１２の入力表示部５には、図８（１）に示すようにアルファベット群の残りの各キーなどを割り当て配置させる。すなわち、入力表示部５の１行目には、“Ｙ、Ｕ、Ｉ、Ｏ、Ｐ、”の各文字キーを割り当て配置させ、２行目には、“Ｈ、Ｊ、Ｋ、Ｌ、＠”の各キーを割り当て配置させ、３行目には、“Ｎ、Ｍ、−、？、+”の各キーを割り当て配置させる。
【００５９】
また、図８（２）に示すように、横開きオープン状態の携帯電話機を縦向きの状態で使用する場合、キー入力部４に備えられているペアキー（大文字／小文字切り替えキー）、クリアキー、電源キー、テンキー、＊キー、＃キーには、更に、アルファベットキー群の一部がＱＷＥＲＴＹキー配列で割り当て配置されている。なお、これらのキートップには、各キーに対応して２種類の機能名がそれぞれ縦向きに印刷されている。この場合、上述した第１実施形態の指定条件“スタイル及び姿勢”の場合と同様に、スタイル検出部１０に基づいて横開きオープン状態を検出し、かつ、加速度センサ９に基づいて縦向き状態を検出することによって、表示部筐体１２の入力表示部５には、図８（２）に示すようにアルファベット群の残りの各キーなどを割り当て配置させる。すなわち、入力表示部５の１行目には、後述する“Ｐ”のキーを割り当て配置させ、２行目には、“Ｒ、Ｔ、Ｙ、Ｕ、Ｉ、Ｏ”の各文字キーを割り当て配置させ、３行目には、“Ｆ、Ｇ、Ｈ、Ｊ、Ｋ、Ｌ”の各キーを割り当て配置させ、４行目には、“Ｖ、Ｂ、Ｎ、Ｍ、＠、／”の各キーを割り当て配置させる。なお、１行目に配置されたキーは、２行目で表示しきれなかった残りのキーである。その他の記号等は、適宜その他の空いた行（列）に割り当て配置させるとよい。
【００６０】
図８（１）、（２）は、キー入力部４を押しボタン式のキー（ハードキー）によって構成したが、タッチスクリーン（入力表示部）によるソフトキーによって構成するようにしてもよい。この場合、上述した第１実施形態の指定条件“スタイル及び姿勢”の場合と同様に、縦開きオープン状態か横開きオープン状態かを検出することによって、キー入力部４及び入力表示部５に図８（１）に示すような跨ったキー割り当てを行うか、図８（２）に示すような跨ったキー割り当てを行うかを制御するようにしてもよい。
【００６１】
このようにアルファベットキー群のうちその一部がキー入力部４に備えられている場合に、そのキー群の残りの各キーを入力表示部５に割り当て配置するようにしたので、キー入力部４内のキーサイズを大きくすることができ、また、入力表示部５内にアルファベットキー群の全てを配置する必要がないので、入力表示部５内にそれだけ大きな空き領域（キー表示領域以外の領域）を確保することも可能となる。
【００６２】
図９（１）〜（３）は、第１実施形態の変形例として、操作部筐体１１に対して表示部筐体１２を開いた状態において表示部筐体１２を±９０°回転可能なサイクロイドタイプの携帯電話機に適用した場合を例示した図である。
図９（１）は、操作部筐体１１に対して表示部筐体１２を開いた通常のオープン状態を示し、（２）は、この通常のオープン状態において表示部筐体１２を＋（プラス）方向に９０°回転させて長方形の入力表示部５を横長状態とした場合を示し、（３）は、通常のオープン状態において表示部筐体１２を−（マイナス）方向に９０°回転させて長方形の入力表示部５を横長状態とした場合を示した図である。この場合においても入力表示部５の向きに応じてキー割り当て配置を行うようにしているが、その際、所定のキー群のうちその一部がキー入力部４に備えられている場合には、そのキー群の残りの各キーを入力表示部５に割り当て配置するようにすればよい。
【００６３】
また、上述した第１実施形態においては、指定条件記憶部ＣＡの複数の「指定条件」の中からユーザが所望する指定条件を任意に選択可能としたが、「指定条件」は複数に限らず、１つであってもよい。また、振り操作は垂直方向に２往復分の振り操作に限らず、手書きパターンもチェックマークに限らないことは勿論である。
【００６４】
（実施形態２）
以下、この発明の第２実施形態について図１０〜図１４を参照して説明する。
なお、上述した第１実施形態においては、キー入力部４を備えた操作部筐体１１と入力表示部５を備えた表示部筐体１２とを一体的に取り付けた場合を例示したが、この第２実施形態においては、キー入力部を備えた携帯電話機に外部機器としての入力表示部が接続又は接近された場合に、外部機器（入力表示部）をキー入力部４と併用して入力操作を行わせるために、所定のキー群をキー入力部４及び外部機器（入力表示部）に跨って割り当て配置するようにしたものである。ここで、両実施形態において基本的あるいは名称的に同一のものは、同一符号を付して示し、その説明を省略すると共に、以下、第２実施形態の特徴部分を中心に説明するものとする。
【００６５】
図１０は、第２実施形態における携帯電話機の構成要素を示したブロック図である。
第２実施形態の携帯電話機は、全面タッチスクリーンのストレートタイプの携帯電話機であり、その全体は長方形の平板状をなしている。携帯電話機は、図１と同様に、中央制御部１を中核として、電源部２、記憶部３、キー入力部４、無線通信部６、音声信号処理部７、アプリ処理関係部８を有しているほか、この第２実施形態においては、更に、外部機器接続部１５、近距離通信部１６を有している。キー入力部４は、タッチスクリーンによって構成されたもので、各種のキーが割り当て配置されている。
【００６６】
外部機器接続部１５は、例えば、コネクタを有する構成で、外部機器（入力表示部）２０側に直接的に接続されたり、ケーブルなどを介して間接的に接続されたりすることによって、外部機器（入力表示部）２０に対してキー割り当て用のデータを送信することが可能な状態となったり、外部機器（入力表示部）２０から操作キーに対応するキー入力データを受信することが可能な状態となったりする。近距離通信部１６は、例えば、非接触ＩＣカード、Bluetooth（登録商標）、赤外線通信などの非接触タイプの近距離通信手段で、外部機器（入力表示部）２０側から機器識別情報を受信することによって、中央制御部１は、外部機器（入力表示部）２０が接近している状態を検出するようにしている。ここで、中央制御部１は、外部機器接続部１５の通信可能エリア、つまり、外部機器（入力表示部）２０との距離が、例えば、２０ｃｍ以内の場合に外部機器（入力表示部）２０に接近していることを検出するようにしている。
【００６７】
このように携帯電話機と外部機器（入力表示部）２０とが接近している状態において、中央制御部１は、近距離通信部１６を介して外部機器（入力表示部）２０にキー割り当て用のデータを送信したり、外部機器（入力表示部）２０から操作キーに対応するキー入力データを受信したりするようにしている。このように携帯電話機と外部機器（入力表示部）２０とが接近している状態では、外部機器（入力表示部）２０との間でデータの送受信が可能な接続状態となる。
【００６８】
図１１は、第２実施形態において外部機器（入力表示部）２０の構成要素を示したブロック図である。
外部機器（入力表示部）２０は、タッチスクリーン（入力表示部）を備えた電子機器で、携帯電話機と同様にその全体が長方形の平板状に構成され、携帯電話機と略同形同大となっている。外部機器（入力表示部）２０は、中央制御部２１を中核として、電源部２２、記憶部２３、タッチスクリーン（入力表示部）２４、携帯接続部２５、近距離通信部２６を有している。中央制御部２１は、記憶部２３内の各種のプログラムに応じてこの外部機器（入力表示部）２０の全体動作を制御するもので、この中央制御部２１にはＣＰＵ（中央演算処理装置）やメモリなどが設けられている。
【００６９】
携帯接続部２５は、携帯電話機側の外部機器接続部１５に直接あるいはケーブルを介して接続されるもので、中央制御部２１は、携帯電話機に接続されている状態において、携帯接続部２５を介して携帯電話機との間でデータの送受信を行う。近距離通信部２６は、例えば、非接触ＩＣカード、Bluetooth（登録商標）、赤外線通信などの非接触タイプの近距離通信手段で、携帯電話機に機器識別情報を送信したり、携帯電話機からキー割り当て用のデータを受信したり、携帯電話機に操作キーに対応するキー入力データを送信したりする。
【００７０】
図１２及び図１３は、携帯電話機に外部機器（入力表示部）２０を接続させた場合に、所定のキー群が携帯電話機のキー入力部４及び外部機器（入力表示部）２０に跨って割り当て配置された状態を示した図である。
図１２（１）は、横向き状態（横長状態）の携帯電話機のキー入力部４内にアルファベットキー群がＱＷＥＲＴＹキー配列されている状態を示し、この状態において、横向き状態（横長状態）の外部機器（入力表示部）２０を、外部機器接続部１５を介して接続させることによって両方が連結されると、図１２（２）に示すように、アルファベットキー群がキー入力部４及び外部機器（入力表示部）２０に跨って割り当て配置される。
【００７１】
この場合、外部機器（入力表示部）２０には、アルファベットキーと共にテンキーなども割り当て配置される。また、図１２（２）に示すように、外部機器（入力表示部）２０を接続する前にキー入力部４内に割り当てられていたキーサイズよりも拡大して配置され、そのキーと同じサイズのアルファベットキーが外部機器（入力表示部）２０に跨って割り当て配置される。図１３は、アルファベットキー群に代わって仮名文字５０音キー群が跨って割り当て配置された場合を示している。
【００７２】
図１４は、第２実施形態における携帯電話機の動作概要を示したフローチャートである。
先ず、中央制御部１は、中央制御部１は、電源を投入する電源オン操作が行われると（ステップＣ１でＹＥＳ）、初期化処理を実行し、操作部筐体１１のキー入力部４にテンキー、ファンクションキーなどの各種のキーを割り当て配置する（ステップＣ２）。ここで、何らかの操作が行われると（ステップＣ３）、アルファベットキーの配置を指示する操作であるかを調べ（ステップＣ４）、その指示操作でなければ（ステップＣ４でＮＯ）、電源オフ操作が行われたかを調べる（ステップＣ５）。いま、電源オフ操作が行われたときには（ステップＣ５でＹＥＳ）、電源オフ処理を行った後（ステップＡ６）、このフローの終了となるが、その他の操作が行われたときには（ステップＣ５でＮＯ）、例えば、発信処理、テキスト作成処理など、その操作に応じた処理を行った後（ステップＣ７）、上述のステップＣ３に戻る。また、アルファベットキーの配置を指示する操作が行われたときには（ステップＣ４でＹＥＳ）、上述の初期化処理によってキー入力部４に割り当て配置された各種のキーに代わって、図１２（１）、図１３（１）に示すように、アルファベットキー群をＱＷＥＲＴＹキー配列で割り当て配置する（ステップＣ８）。
【００７３】
このようにアルファベットキー群がキー入力部４に配置されている状態において（ステップＣ９でＹＥＳ）、外部機器接続部１５に外部機器（入力表示部）２０が接続されたことを検出したかを調べたり（ステップＣ１０）、近距離通信部１６によって外部機器（入力表示部）２０の接近が検出されたかを調べたりする（ステップＣ１１）。いま、外部機器接続部１５に外部機器（入力表示部）２０が接続されたときには（ステップＣ１０でＹＥＳ）、アルファベットキー群と仮名５０音キー群との切り替えを示すための切り替えフラグを参照し、切り替えフラグが“１”であるかを調べる（ステップＣ１２）。この切り替えフラグは、予めユーザ操作によって任意に設定されたもので、ここでは、その値が“１”のときには、アルファベットキー群を割り当て対象として指定するものとし、“０”のときには、５０音キー群を割り当て対象として指定するためのものとする。
また、ここでは、アルファベットキー群以外に空いたスペースを利用して、テンキー部も割り当て配置するようにしている。
【００７４】
いま、切り替えフラグが“１”であれば（ステップＣ１２でＹＥＳ）、図１２（２）に示すようにアルファベットキー群をキー入力部４及び外部機器（入力表示部）２０に跨って割り当て配置させる（ステップＣ１３）。この場合、携帯電話機が外部機器接続部１５を介して外部機器（入力表示部）２０にキー割り当て用のデータを送信すると、外部機器（入力表示部）２０側では、受信したキー割り当て用のデータに基づいてアルファベットキーを割り当て配置する。このようにしてキー入力部４及び外部機器（入力表示部）２０に跨って配置される各キーは、図１２（１）に示す大きさのキーを略２倍の大きさに拡大されたものとなっている。
【００７５】
また、切り替えフラグが“０”であれば（ステップＣ１２でＮＯ）、図１３（２）に示すように仮名文字の５０音キー群をキー入力部４及び外部機器（入力表示部）２０に跨って割り当て配置させる（ステップＣ１４）。この場合、携帯電話機が外部機器接続部１５を介して外部機器（入力表示部）２０にキー割り当て用のデータを送信すると、外部機器（入力表示部）２０側では、受信したキー割り当て用のデータに基づいて５０音キーを割り当て配置する。このようにしてキー入力部４及び外部機器（入力表示部）２０に跨って配置される各キーは、図１３（１）に示す大きさのキーを略２倍の大きさに拡大されたものとなる。なお、ここでは、図１３（２）に示すようにキー入力部４及び外部機器（入力表示部）２０内の５０音キーをそれぞれ２つのブロックに分けて配置するようにしている。
【００７６】
また、携帯電話機側の近距離通信部１６によって外部機器（入力表示部）２０の接近（接続）が検出されたときには、つまり、外部機器（入力表示部）２０から発信された機器識別情報を受信し、それが特定の外部機器（入力表示部）２０であることを認識したときには（ステップＣ１１でＹＥＳ）、切り替えフラグを参照し、切り替えフラグが“１”であるかを調べる（ステップＣ１２）。いま、切り替えフラグが“１”であれば（ステップＣ１２でＹＥＳ）、図１２（２）に示すようにアルファベットキー群をキー入力部４及び外部機器（入力表示部）２０に跨って割り当て配置させる（ステップＣ１３）。また、切り替えフラグが“０”であれば（ステップＣ１２でＮＯ）、図１３（２）に示すように仮名５０音キー群をキー入力部４及び外部機器（入力表示部）２０に跨って割り当て配置させる（ステップＣ１４）。
また、電話着信を検出したときには（ステップＣ１５でＹＥＳ）、通話可能状態とする通話処理を行った後（ステップＣ１６）、上述のステップＣ３に戻る。
【００７７】
以上のように、第２実施形態において携帯電話機は、外部機器（入力表示部）２０が接続された場合に、外部機器（入力表示部）２０をキー入力部４と併用して入力操作を行わせるために所定のキー群を携帯電話機側のキー入力部４及び外部機器（入力表示部）２０に跨って割り当て配置するようにしたので、携帯電話機に外部機器（入力表示部）２０を接続することによって、外部機器（入力表示部）２０をキー入力部４と共同して利用することができ、その結果、キーサイズを大きくすることが可能となったり、両手でのタイピングが可能となったり、全体としてキーが見易くなったりするなどの効果を有し、実用性に富んだものとなる。
【００７８】
携帯電話機側の近距離通信部１６は、外部機器（入力表示部）２０の接近を検出した場合に、近距離通信部１５から外部機器（入力表示部）２０にキー割り当て用のデータを送信したり、外部機器（入力表示部）２０から操作キーに対応するキー入力信号を受信したりするようにしたので、携帯電話機と外部機器（入力表示部）２０とが離れていてもキー操作が可能となり、自然な姿勢でのタイピングが可能となるなど、操作性を向上させることができる。
【００７９】
外部機器（入力表示部）２０が接続された場合に、接続される前にキー入力部４に配置されていたキーを拡大して再配置するようにしたので、キーサイズを大きくすることができ、操作性を向上させることができる。
【００８０】
なお、上述した第２実施形態においては、全面タッチスクリーンのストレートタイプの携帯電話機について適用した場合を示したが、２軸ヒンジタイプの携帯電話機であってもよい。すなわち、キー入力部４を備えた操作部筐体と、入力表示部５を備えた表示部筐体とが開閉可能（折り畳み可能）に取り付けられていると共に、表示部筐体の表裏が逆向きとなるように１８０°回転可能に取り付けられた２軸ヒンジタイプの携帯電話機において、操作部筐体と表示部筐体とを閉じた状態で入力表示部５が露出するビュースタイルの状態で外部機器（入力表示部）２０と接続や接近させるようにしてもよい。
【００８１】
上述した第２実施形態においては、図１２及び図１３に示すように、横向き状態（横長状態）の携帯電話機に横向き状態（横長状態）の外部機器（入力表示部）２０を接続させたり、接近させたりするようにしたが、縦向き状態（縦長状態）の携帯電話機に縦向き状態（縦長状態）の外部機器（入力表示部）２０を接続させたり、接近させたりするようにしてもよい。このように縦向き状態で接続させた場合に、そのキーの跨った割り当て配置は、例えば、図８（２）に示したようにすればよい。なお、横向き状態の携帯電話機に縦向き状態の外部機器（入力表示部）２０を接続させたり、接近させたりするようにしてもよい。
【００８２】
また、上述した第２実施形態において外部機器（入力表示部）２０は、タッチスクリーン（入力表示部）を備えた電子機器を例示したが、外部機器（入力表示部）２０としては、これに限らず、例えば、他の携帯電話機、デジタルカメラ、音楽プレイヤーなどであってもよい。
【００８３】
また、上述した各実施形態においては、アルファベットキー群を標準的なＱＷＥＲＴＹキー配列、また、平仮名入力用の５０音キー群を、あいうえお順に配列となるようにキー入力部４及び入力表示部５に跨って割り当て配置するようにしたが、アルファベットキー群、５０音キー群に限らず、数値入力用のテンキーを昇順に配列したり、その他、ドイツ語、他の外国語の文字キー群をその言語の標準的なキー配列となるように跨って割り当て配置したりするようにしてもよく、また、文字キーに限らず、記号キー群、図形キー群などを特定のキー配列となるように跨って割り当て配置するようにしてもよい。
【００８４】
上述した実施形態においては、折り畳みタイプ、スライドタイプ、２ウエイオープン（Ｗオープン）タイプ、サイクロイドタイプの携帯電話機に適用した場合について示したが、例えば、ストレートタイプ、スピントップタイプなど任意の筐体構造であってもよい。
また、上述した実施形態においては、電子機器として携帯電話機を例示したが、これに限らず、例えば、ＰＤＡ、デジタルカメラ、音楽プレイヤー、それらの複合機など、任意の電子機器であってもよい。
【００８５】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８６】
１  中央制御部
３  記憶部
４  キー入力部
５  入力表示部
９  加速度センサ
１０  スタイル検出部
１１  操作部筐体
１２  表示部筐体
１３  ヒンジ部
１５  外部機器接続部
１６  近距離通信部
２０  外部機器（入力表示部）
２１  中央制御部
２４  タッチスクリーン（入力表示部）
２５  携帯接続部
２６  近距離通信部
【図１】
2014195257.tif 000003
【図２】
2014195257.tif 000004
【図３】
2014195257.tif 000005
【図４】
2014195257.tif 000006
【図５】
2014195257.tif 000007
【図６】
2014195257.tif 000008
【図７】
2014195257.tif 000009
【図８】
2014195257.tif 000010
【図９】
2014195257.tif 000011
【図１０】
2014195257.tif 000012
【図１１】
2014195257.tif 000013
【図１２】
2014195257.tif 000014
【図１３】
2014195257.tif 000015
【図１４】
2014195257.tif 000016